(57)【要約】      （修正有）【課題】場所を選ばずに、且つ、時間を掛けずに設置することができ、しかも、使用者が温められている床面の温度調節をその場で移動せずに行うことができる操作性の良い低コストな床暖房ユニットを提供する。【解決手段】床暖房ユニット１は、フロア又は地面に載置可能に構成され、表面が着座面２ａとなるユニット本体２と、ユニット本体２を加温する加温システム３とを備える。加温システム３は、フィルム状をなすＰＴＣヒーターと、ＰＴＣヒーターに電流を流す制御ボックスと、ＰＴＣヒーターの温度を設定する操作盤６とを備える。ユニット本体２は、ベース板と、ベース板の上側に重ねられた断熱材と、断熱材との間にＰＴＣヒーターを挟み込むように断熱材の上側に重ねられた床面材とを備える。操作盤６は、操作部が着座面２ａから臨むようにユニット本体２に埋設される。【選択図】図１
0003223068.tif 000002
【実用新案登録請求の範囲】
【請求項１】
フロア又は地面に載置可能に構成され、使用者が着座可能な床暖房ユニットであって、
表面が使用者の着座面となる厚みを有する矩形板状のユニット本体と、
該ユニット本体を加温可能な加温手段とを備え、
該加温手段は、フィルム状をなす電気式ヒーターと、該電気式ヒーターに接続され、当該電気式ヒーターに電流を流して温度を調節する制御ボックスと、該制御ボックスに接続され、且つ、操作部が上側に設けられ、上記電気式ヒーターの温度を設定可能な操作盤とを備え、
上記ユニット本体は、上記フロア又は地面との接触面となる木材からなるベース板と、該ベース板の上側に重ねられた板状をなす断熱材と、該断熱材との間に上記電気式ヒーターを挟み込むように上記断熱材の上側に重ねられた板状をなす床面材とを備え、
上記操作盤は、上記操作部が上記ユニット本体の着座面から臨むように上記ユニット本体に埋設されていることを特徴とする床暖房ユニット。
【請求項２】
請求項１に記載の床暖房ユニットにおいて、
上記断熱材は、押出法ポリスチレンフォーム材からなることを特徴とする床暖房ユニット。
【請求項３】
請求項１又は２に記載の床暖房ユニットにおいて、
上記ユニット本体の４つの隅部のうちの１つには、上下に貫通する貫通孔が形成され、
上記操作盤は、上記制御ボックスの上方に取り付けられ、該制御ボックスは、上記貫通孔に収納されていることを特徴とする床暖房ユニット。
【請求項４】
請求項１から３のいずれか１つの床暖房ユニットにおいて、
上記制御ボックスには、家庭用コンセントに接続可能な接続プラグが設けられていることを特徴とする床暖房ユニット。
【考案の詳細な説明】
【技術分野】
【０００１】
本考案は、床面を下方から加温することで生じる熱伝導、対流及び放射を利用して床面上の使用者を温める床暖房ユニットに関する。
【背景技術】
【０００２】
従来より、住宅等では、寒さを凌ぐための１つの手段として、居住空間における床面を下方から加温する床暖房システムを導入する場合がある。例えば、特許文献１に開示されている床暖房システムは、並設された複数本の根太と、各根太間に敷き詰められた複数の断熱材と、各根太間を跨ぐように複数の根太上に敷設された下地板材と、該下地板材の上に互いに重なり合わないように敷設された複数のフィルム状をなす電気式ヒーターと、各電気式ヒーターを上記下地板材との間に挟み込むように当該下地板材の上側に重ねられた床面材とを備えていて、各電気式ヒーターに電流を流すことにより使用者が着座する床面材を加温するようになっている。
【先行技術文献】
【特許文献】
【０００３】
【特許文献１】特開２０１８−１６９１４６号公報
【考案の概要】
【考案が解決しようとする課題】
【０００４】
ところで、頻繁には使用しない部屋等にてイベントを開催するためだけに引用文献１の如きシステムを導入すると、部屋の床面全域にシステムを導入しなければならないので、導入に時間が掛かるとともに、投資に見合う利益を回収できずにコストが嵩んでしまうという問題がある。
【０００５】
また、部屋全体ではなく特定の人のみを温めたいような場合に上述の如きシステムを導入した場合も同様に、無駄にコストが嵩むという問題がある。
【０００６】
さらに、引用文献１の如きシステムでは、一般的に、床面の温度を操作する操作盤を部屋の壁面に設置するので、例えば、使用者が何か作業をしている最中に床面の温度を変更しようとしても操作盤まで移動しなければならず、温度の操作が煩わしいという問題もある。
【０００７】
本考案は、懸かる点に鑑みてなされたものであり、その目的とするところは、場所を選ばずに、且つ、時間を掛けずに設置することができ、しかも、使用者が温められている床面の温度調節をその場で移動せずに行うことができる操作性の良い低コストな床暖房ユニットを提供することにある。
【課題を解決するための手段】
【０００８】
上記の目的を達成するために、本考案は、設置場所を選ばず、しかも時間を掛けずに設置できるようにし、さらには、操作盤を使用者が着座する位置から移動せずに操作できるよう工夫を凝らしたことを特徴とする。
【０００９】
具体的には、フロア又は地面に載置可能に構成され、使用者が着座可能な床暖房ユニットを対象とし、次のような解決手段を講じた。
【００１０】
すなわち、第１の考案では、表面が使用者の着座面となる厚みを有する矩形板状のユニット本体と、該ユニット本体を加温可能な加温手段とを備え、該加温手段は、フィルム状をなす電気式ヒーターと、該電気式ヒーターに接続され、当該電気式ヒーターに電流を流して温度を調節する制御ボックスと、該制御ボックスに接続され、且つ、操作部が上側に設けられ、上記電気式ヒーターの温度を設定可能な操作盤とを備え、上記ユニット本体は、上記フロア又は地面との接触面となる木材からなるベース板と、該ベース板の上側に重ねられた板状をなす断熱材と、該断熱材との間に上記電気式ヒーターを挟み込むように上記断熱材の上側に重ねられた板状をなす床面材とを備え、上記操作盤は、上記操作部が上記ユニット本体の着座面から臨むように上記ユニット本体に埋設されていることを特徴とする。
【００１１】
第２の考案では、第１の考案において、上記断熱材は、押出法ポリスチレンフォーム材からなることを特徴とする。
【００１２】
第３の考案では、第１又は第２の考案において、上記ユニット本体の４つの隅部のうちの１つには、上下に貫通する貫通孔が形成され、上記操作盤は、上記制御ボックスの上方に取り付けられ、該制御ボックスは、上記貫通孔に収納されていることを特徴とする。
【００１３】
第４の考案では、第１から第３のいずれか１つの考案において、上記制御ボックスには、家庭用コンセントに接続可能な接続プラグが設けられていることを特徴とする。
【考案の効果】
【００１４】
第１の考案では、例えば、頻繁には使用しない部屋等でイベントを開催する場合であっても時間を掛けずに、且つ、コストをかけずに設置して使用することができる。また、特定の人のみを温めたい場合であっても、コストをかけずに設置して使用することができる。さらに、操作盤の操作部が着座面から臨んでいるので、使用者は、ユニット本体の着座面に着座している状態において操作部を操作することができ、操作性の良い床暖房ユニットにすることができる。
【００１５】
第２の考案では、断熱性の高い床暖房ユニットにすることができ、着座面に着座する使用者をより温めることができる。
【００１６】
第３の考案では、ユニット本体を裏返すと、貫通孔の開口部分から制御ボックスを観察可能になる。したがって、メンテナンスのし易い床暖房ユニットにすることができる。
【００１７】
第４の考案では、家庭用コンセントがあれば、設置場所を選ばない床暖房ユニットになるので、使い勝手をさらに良くすることができる。
【図面の簡単な説明】
【００１８】
【図１】本考案の実施形態に係る床暖房ユニットの斜視図である。
【図２】図１のII−II線における断面図である。
【図３】図１のIII−III線における断面図である。
【図４】操作盤の斜視図である。
【考案を実施するための形態】
【００１９】
以下、本考案の実施形態を図面に基づいて詳細に説明する。尚、以下の好ましい実施形態の説明は、本質的に例示に過ぎない。
【００２０】
図１は、本考案の実施形態に係る床暖房ユニット１を示す。該床暖房ユニット１は、フロアや、或いは、地面に設置可能に構成され、使用者が着座可能になっている。
【００２１】
床暖房ユニット１は、表面が使用者の着座面２ａとなる厚みを有する矩形板状をなすユニット本体２と、該ユニット本体２を加温可能な加温システム３（加温手段）とを備え、ユニット本体２の外周縁部には、平面視略ロ字状で、且つ、断面略Ｌ字状をなすカバーフレーム２ｆがユニット本体２の外周縁部を覆うように取り付けられている。
【００２２】
ユニット本体２の４つの隅部のうちの１つには、図３に示すように、上下に貫通する断面矩形状の貫通孔２ｂが形成されている。
【００２３】
また、ユニット本体２は、図２に示すように、フロアや、或いは、地面との接触面となる厚みを有する木材からなるベース板２ｃと、該ベース板２ｃの上側に重ねられた厚みを有する板状をなす断熱材２ｄと、該断熱材２ｄの上側に重ねされた板状をなす木材製の床面材２ｅとを備えている。
【００２４】
断熱材２ｄは、押出法ポリスチレンフォーム材で形成されている。尚、上記押出法ポリスチレンフォーム材の具体的な商品として、カネカケンテック株式会社製の「カネライトフォーム」が挙げられる。
【００２５】
加温システム３は、図３に示すように、フィルム状をなす複数枚のＰＴＣヒーター４（電気式ヒーター）と、各ＰＴＣヒーター４に接続された略直方体形状をなす制御ボックス５と、該制御ボックス５に接続された厚みを有する矩形板状をなす操作盤６とを備え、各ＰＴＣヒーター４は、着座面２ａの全域に対応するように、断熱材２ｄと床面材２ｅとの間においてそれぞれが所定の間隔を明けた状態で挟み込まれている。
【００２６】
制御ボックス５は、各ＰＴＣヒーター４に電流を流して温度を調節するようになっており、上記貫通孔２ｂに収納されている。
【００２７】
また、制御ボックス５には、家庭用コンセント（図示せず）に接続可能な接続プラグ５ａ（図１参照）が設けられている。
【００２８】
操作盤６は、制御ボックス５の上方に取り付けられ、図４に示すように、操作盤６の水平方向一側に回動式の開閉カバー６ａが設けられる一方、水平方向他側に表示部６ｂが設けられている。
【００２９】
開閉カバー６ａを回動させると、複数の操作ボタン６ｄが所定の間隔で配置された操作部６ｃが現れるようになっていて、当該操作部６ｃの各操作ボタン６ｄを操作することにより、ＰＴＣヒーター４の温度を設定することができるようになっている。
【００３０】
すなわち、操作部６ｃは、操作盤６の上側に位置しており、当該操作盤６は、操作部６ｃがユニット本体２の着座面２ａから臨むように上記ユニット本体２に埋設されている。
【００３１】
以上より、本考案の床暖房ユニット１は、例えば、頻繁には使用しない部屋等でイベントを開催する場合であっても時間を掛けずに、且つ、コストをかけずに設置して使用することができる。
【００３２】
また、特定の人のみを温めたい場合であっても、コストをかけずに設置して使用することできる。
【００３３】
さらに、操作盤６の操作部６ｃが着座面２ａから臨んでいるので、使用者は、ユニット本体２の着座面２ａに着座している状態において操作部６ｃを操作することができ、操作性の良い床暖房ユニット１にすることができる。
【００３４】
また、本考案の床暖房ユニット１は、各ＰＴＣヒーター４の下の断熱層に押出法ポリスチレンフォーム材を用いているので、断熱性の高い床暖房ユニット１にすることができ、着座面２ａに着座する使用者をより温めることができる。
【００３５】
また、本考案の床暖房ユニット１は、ユニット本体２を裏返すと、貫通孔２ｂの開口部分から制御ボックス５を観察可能になる。したがって、メンテナンスのし易い床暖房ユニット１にすることができる。
【００３６】
さらに、本考案の床暖房ユニット１は、制御ボックス５に接続プラグ５ａが接続されているので、家庭用コンセントがあれば設置場所を選ばない床暖房ユニット１になり、使い勝手をさらに良くすることができる。
【００３７】
尚、本考案の実施形態の床暖房ユニット１は、着座面２ａにおいて使用者が１人着座できる程度の広さに設計されているが、着座面２ａに使用者が複数人着座できる程度の広さに設計してもよい。また、本考案の実施形態の床暖房ユニット１は、平面視で略正方形状をなしているが、平面視で長方形状をなしていてもよいし、その他の形状であってもよい。
【００３８】
また、本考案の実施形態では、着座面２ａを加温する電気式ヒーターとしてＰＴＣヒーター４を用いたが、その他の種類の電気式ヒーターを用いてもよい。
【００３９】
また、本考案の実施形態では、ユニット本体２の断熱材２ｄを押出法ポリスチレンフォーム材で形成しているが、その他の種類の断熱材を用いても良い。
【００４０】
また、本考案の実施形態では、床面材２ｅを木材で形成しているが、例えば、プラスチック材で形成してもよく、その他の種類の材質からなる床面材２ｅとしてもよい。
【産業上の利用可能性】
【００４１】
本考案は、床面を下方から加温することで生じる熱伝導、対流及び放射を利用して床面上の使用者を温める床暖房ユニットに適している。
【符号の説明】
【００４２】
１        床暖房ユニット
２        ユニット本体
２ａ      着座面
２ｂ      貫通孔
２ｃ      ベース板
２ｄ      断熱材
２ｅ      床面材
３        加温システム（加温手段）
４        ＰＴＣヒーター（電気式ヒーター）
５        制御ボックス
５ａ      接続プラグ
６        操作盤
６ｃ      操作部
【図１】
0003223068.tif 000003
【図２】
0003223068.tif 000004
【図３】
0003223068.tif 000005
【図４】
0003223068.tif 000006